(57)【要約】  簡易な手書き操作によりオリジナルの絵記号画像データを生成することができる情報処理装置を提供する。  手書き操作を検出する検出部と、検出部による手書き操作の検出結果に基づいて、手書き画像データを生成する手書き画像データ生成部と、手書き画像データ生成部により生成された手書き画像データと、記憶部に記憶された絵記号画像データと、が合成された合成画像データを生成する合成画像データ生成部と、を備えた情報処理装置。
2018061798.tif 000002
【特許請求の範囲】
【請求項１】
手書き操作を検出する検出部と、
前記検出部による手書き操作の検出結果に基づいて、手書き画像データを生成する手書き画像データ生成部と、
前記手書き画像データ生成部により生成された前記手書き画像データと、記憶部に記憶された絵記号画像データと、が合成された合成画像データを生成する合成画像データ生成部と、
を備えたことを特徴とする情報処理装置。
【請求項２】
前記検出部は、前記記憶部に記憶された複数の前記絵記号画像データに対応した複数の絵記号画像のなかから、一の前記絵記号画像を選択する選択操作をさらに検出し、
前記合成画像データ生成部は、前記検出部による前記絵記号画像の選択操作の検出結果に基づいて、選択された前記絵記号画像に対応した前記絵記号画像データと、前記手書き画像データと、が合成された前記合成画像データを生成することを特徴とする請求項１に記載の情報処理装置。
【請求項３】
前記検出部は、前記絵記号画像データに関する複数のカテゴリーのなかから、一の前記カテゴリーを選択する選択操作をさらに検出し、
前記合成画像データ生成部は、前記記憶部に記憶された複数の前記絵記号画像データのうち、前記検出部による前記カテゴリーの選択操作の検出結果に基づいて、選択された前記カテゴリーに属する複数の前記絵記号画像データと、前記手書き画像データと、が合成された複数の前記合成画像データを生成し、
前記検出部は、前記合成画像データ生成部により生成された複数の前記合成画像データに対応した複数の合成画像のなかから、一の前記合成画像を選択する選択操作をさらに検出することを特徴とする請求項１または２に記載の情報処理装置。
【請求項４】
手書き操作を検出する検出部と、
前記検出部による手書き操作の検出結果に基づいて、手書き画像データを生成する手書き画像データ生成部と、
前記手書き画像データ生成部により生成された複数の前記手書き画像データ同士が合成された合成画像データを生成する合成画像データ生成部と、
を備えたことを特徴とする情報処理装置。
【請求項５】
前記検出部は、複数の合成パターンのなかから、一の前記合成パターンを選択する選択操作をさらに検出し、
前記合成画像データ生成部は、前記検出部による前記合成パターンの選択操作の検出結果に基づいて、選択された前記合成パターンで、複数の前記手書き画像データ同士が合成された前記合成画像データを生成することを特徴とする請求項４に記載の情報処理装置。
【請求項６】
前記合成画像データ生成部により生成された前記合成画像データを、記憶部に記憶させる記憶制御部、をさらに備えたことを特徴とする請求項１ないし５のいずれか一項に記載の情報処理装置。
【請求項７】
手書き操作用のトレース画像を表示する表示部、をさらに備えたことを特徴とする請求項１ないし６のいずれか一項に記載の情報処理装置。
【請求項８】
前記検出部は、前記手書き画像データに対応した手書き画像において線が閉じた領域を塗りつぶすか否かを選択する選択操作をさらに検出し、
前記手書き画像データ生成部は、前記検出部による塗りつぶすか否かの選択操作の検出結果に基づいて、前記手書き画像データを生成することを特徴とする請求項１ないし７のいずれか一項に記載の情報処理装置。
【請求項９】
コンピューターを、請求項１ないし８のいずれか一項に記載の情報処理装置として機能させるためのプログラム。
【請求項１０】
情報処理装置と、印刷装置と、を備え、
前記情報処理装置は、
手書き操作を検出する検出部と、
前記検出部による手書き操作の検出結果に基づいて、手書き画像データを生成する手書き画像データ生成部と、
前記手書き画像データ生成部により生成された前記手書き画像データと、記憶部に記憶された絵記号画像データと、が合成された合成画像データを生成する合成画像データ生成部と、
前記合成画像データ生成部により生成された前記合成画像データに基づいて、印刷データを生成する印刷データ生成部と、
前記印刷データ生成部により生成された前記印刷データを、前記印刷装置に送信する印刷データ送信部と、
を有することを特徴とする印刷システム。
【請求項１１】
情報処理装置と、印刷装置と、を備え、
前記情報処理装置は、
手書き操作を検出する検出部と、
前記検出部による手書き操作の検出結果に基づいて、手書き画像データを生成する手書き画像データ生成部と、
前記手書き画像データ生成部により生成された複数の前記手書き画像データ同士が合成された合成画像データを生成する合成画像データ生成部と、
前記合成画像データ生成部により生成された前記合成画像データに基づいて、印刷データを生成する印刷データ生成部と、
前記印刷データ生成部により生成された前記印刷データを、前記印刷装置に送信する印刷データ送信部と、
を有することを特徴とする印刷システム。
【発明の詳細な説明】
【技術分野】
【０００１】
本発明は、手書き操作に基づいて手書き画像データを生成する情報処理装置、プログラムおよび印刷システムに関するものである。
【背景技術】
【０００２】
従来、テープイメージ上に手書き入力された入力軌跡に基づいて印刷データを生成する印刷データ生成装置が知られている（特許文献１参照）。
【先行技術文献】
【特許文献】
【０００３】
【特許文献１】特開２０１６−１１５０７６号公報
【発明の概要】
【発明が解決しようとする課題】
【０００４】
手書き操作に基づいて手書き画像データを生成する情報処理装置において、生成された手書き画像データは、予め記憶されている絵記号画像データとは異なる、オリジナルの絵記号画像データとなる。しかしながら、ユーザーが、オリジナルの絵記号画像データの全体について手書き操作を行ったのでは、ユーザーにとって手間の掛かる操作となってしまう。【０００５】
本発明は、簡易な手書き操作によりオリジナルの絵記号画像データを生成することができる情報処理装置、プログラムおよび印刷システムを提供することを課題としている。
【課題を解決するための手段】
【０００６】
本発明の情報処理装置は、手書き操作を検出する検出部と、検出部による手書き操作の検出結果に基づいて、手書き画像データを生成する手書き画像データ生成部と、手書き画像データ生成部により生成された手書き画像データと、記憶部に記憶された絵記号画像データと、が合成された合成画像データを生成する合成画像データ生成部と、を備えたことを特徴とする。【０００７】
この構成によれば、手書き画像データと絵記号画像データとが合成されることにより、合成画像データが生成される。生成された合成画像データは、記憶部に記憶された絵記号画像データとは異なる、オリジナルの絵記号画像データとなる。ユーザーは、合成画像データのうち、記憶部に記憶された絵記号画像データを利用する部分については、手書き操作を行う必要がないため、その分、ユーザーの手間が軽減される。したがって、簡易な手書き操作によりオリジナルの絵記号画像データを生成することができる。【０００８】
この場合、検出部は、記憶部に記憶された複数の絵記号画像データに対応した複数の絵記号画像のなかから、一の絵記号画像を選択する選択操作をさらに検出し、合成画像データ生成部は、検出部による絵記号画像の選択操作の検出結果に基づいて、選択された絵記号画像に対応した絵記号画像データと、手書き画像データと、が合成された合成画像データを生成することが好ましい。【０００９】
この構成によれば、記憶部に記憶された複数の絵記号画像データのうち、選択操作により選択された絵記号画像に対応した絵記号画像データが、手書き画像データと合成される。これにより、手書き画像データと合成される絵記号画像データを、記憶部に記憶された複数の絵記号画像データのなかから、ユーザーに選択させることができる。【００１０】
この場合、検出部は、絵記号画像データに関する複数のカテゴリーのなかから、一のカテゴリーを選択する選択操作をさらに検出し、合成画像データ生成部は、記憶部に記憶された複数の絵記号画像データのうち、検出部によるカテゴリーの選択操作の検出結果に基づいて、選択されたカテゴリーに属する複数の絵記号画像データと、手書き画像データと、が合成された複数の合成画像データを生成し、検出部は、合成画像データ生成部により生成された複数の合成画像データに対応した複数の合成画像のなかから、一の合成画像を選択する選択操作をさらに検出することが好ましい。【００１１】
この構成によれば、選択されたカテゴリーに属する複数の絵記号画像データと、手書き画像データとが合成された複数の合成画像データが生成される。そして、生成された複数の合成画像データに対応した複数の合成画像のなかから、一の合成画像をユーザーに選択させることができる。【００１２】
本発明の他の情報処理装置は、手書き操作を検出する検出部と、検出部による手書き操作の検出結果に基づいて、手書き画像データを生成する手書き画像データ生成部と、手書き画像データ生成部により生成された複数の手書き画像データ同士が合成された合成画像データを生成する合成画像データ生成部と、を備えたことを特徴とする。【００１３】
この構成によれば、手書き画像データ同士が合成されることにより、合成画像データが生成される。生成された合成画像データは、記憶部に記憶された絵記号画像データとは異なる、オリジナルの絵記号画像データとなる。合成される複数の手書き画像データの少なくとも一つについて、予め記憶されているものを利用する場合には、ユーザーは、予め記憶された手書き画像データを利用する部分については、改めて手書き操作を行う必要がないため、その分、ユーザーの手間が軽減される。また、合成される複数の手書き画像データのすべてについて、新たに手書き操作を行う場合にも、ユーザーは、一の手書き画像に対して他の手書き画像が所望の配置となるように手書き操作を行う必要がないため、その分、ユーザーの手間が軽減される。したがって、簡易な手書き操作によりオリジナルの絵記号画像データを生成することができる。【００１４】
この場合、検出部は、複数の合成パターンのなかから、一の合成パターンを選択する選択操作をさらに検出し、合成画像データ生成部は、検出部による合成パターンの選択操作の検出結果に基づいて、選択された合成パターンで、複数の手書き画像データ同士が合成された合成画像データを生成することが好ましい。【００１５】
この構成によれば、手書き画像データ同士が合成される複数の合成パターンのうち、選択操作により選択された合成パターンで、手書き画像データ同士が合成される。これにより、手書き画像データ同士が合成される合成パターンを、複数の合成パターンのなかから、ユーザーに選択させることができる。【００１６】
これらの情報処理装置において、合成画像データ生成部により生成された合成画像データを、記憶部に記憶させる記憶制御部、をさらに備えたことが好ましい。【００１７】
この構成によれば、合成画像データ生成部により生成された合成画像データが、記憶部に記憶される。これにより、ユーザーが同じ合成画像データを繰り返し使用する場合に、合成画像データを生成するための操作をやり直す手間を省くことができる。【００１８】
この場合、手書き操作用のトレース画像を表示する表示部、をさらに備えたことが好ましい。【００１９】
この構成によれば、ユーザーは、選択されたトレース画像をトレースすることにより、手書き操作を行うことができる。したがって、ユーザーに手書き操作を容易に行わせることができる。【００２０】
この場合、検出部は、手書き画像データに対応した手書き画像において線が閉じた領域を塗りつぶすか否かを選択する選択操作をさらに検出し、手書き画像データ生成部は、検出部による塗りつぶすか否かの選択操作の検出結果に基づいて、手書き画像データを生成することが好ましい。【００２１】
この構成によれば、手書き画像において線が閉じられた領域が塗りつぶされるように手書き画像データを生成するか、手書き画像において線が閉じられた領域が塗りつぶされないように手書き画像データを生成するかを、ユーザーに選択させることができる。【００２２】
本発明のプログラムは、コンピューターを、上記の情報処理装置として機能させるためのものである。【００２３】
この構成によれば、コンピューターを、簡易な手書き操作によりオリジナルの絵記号画像データを生成することができる情報処理装置として機能させることができる。【００２４】
本発明の印刷システムは、情報処理装置と、印刷装置と、を備え、情報処理装置は、手書き操作を検出する検出部と、検出部による手書き操作の検出結果に基づいて、手書き画像データを生成する手書き画像データ生成部と、手書き画像データ生成部により生成された手書き画像データと、記憶部に記憶された絵記号画像データと、が合成された合成画像データを生成する合成画像データ生成部と、合成画像データ生成部により生成された合成画像データに基づいて、印刷データを生成する印刷データ生成部と、印刷データ生成部により生成された印刷データを、印刷装置に送信する印刷データ送信部と、を有することを特徴とする。【００２５】
本発明の他の印刷システムは、情報処理装置と、印刷装置と、を備え、情報処理装置は、手書き操作を検出する検出部と、検出部による手書き操作の検出結果に基づいて、手書き画像データを生成する手書き画像データ生成部と、手書き画像データ生成部により生成された複数の手書き画像データ同士が合成された合成画像データを生成する合成画像データ生成部と、合成画像データ生成部により生成された合成画像データに基づいて、印刷データを生成する印刷データ生成部と、印刷データ生成部により生成された印刷データを、印刷装置に送信する印刷データ送信部と、を有することを特徴とする。【００２６】
この構成によれば、情報処理装置により生成された合成画像データ、すなわち、オリジナルの絵記号画像データ、に基づいて生成された印刷データに基づいて、印刷装置が印刷を行う。これにより、合成画像、すなわちオリジナルの絵記号を印刷媒体に印刷することができる。
【図面の簡単な説明】
【００２７】
【図１】本発明の一実施形態に係る印刷システムの概略構成を示すブロック図である。
【図２】印刷システムを構成する情報処理装置および印刷装置の機能構成を示すブロック図である。
【図３】手書き画像データと絵記号画像データとが合成される場合であって、ユーザーに絵記号画像を選択させる場合の流れを示すフローチャートである。
【図４】手書き画像データと絵記号画像データとが合成される場合であって、ユーザーに合成画像を選択させる場合の流れを示すフローチャートである。
【図５】手書き画像データ同士が合成される場合の流れを示すフローチャートである。
【図６】合成方法選択画面を示す図である。
【図７】絵記号選択画面を示す図である。
【図８】置換領域調整画面を示す図である。
【図９】作成選択画面を示す図である。
【図１０】手書き画像作成画面を示す図である。
【図１１】絵記号画像データと手書き画像データとが合成された合成画像データに対応した合成画像が表示された合成画像表示画面を示す図である。
【図１２】手書き画像選択画面を示す図である。
【図１３】カテゴリー選択画面を示す図である。
【図１４】合成画像選択画面を示す図である。
【図１５】合成パターン選択画面を示す図である。
【図１６】手書き画像データ同士が合成された合成画像データに対応した合成画像が表示された合成画像表示画面を示す図である。
【図１７】トレース画像が表示された手書き画像作成画面を示す図である。
【図１８】線が閉じられた領域が塗りつぶされた手書き画像が表示された手書き画像作成画面を示す図である。
【図１９】線が閉じられた領域が塗りつぶされていない手書き画像が表示された手書き画像作成画面を示す図である。
【発明を実施するための形態】
【００２８】
以下、添付の図面を参照して、本発明の印刷システムの一実施形態である印刷システムＳについて説明する。
【００２９】
図１に基づいて、印刷システムＳの概略構成について説明する。印刷システムＳは、情報処理装置１と、印刷装置２とを備えている。情報処理装置１は、印刷データを生成し、生成された印刷データを印刷装置２に送信する。印刷装置２は、情報処理装置１から送信された印刷データを受信し、受信された印刷データに基づいて、印刷媒体に印刷を行う。
【００３０】
情報処理装置１は、印刷装置２に対応したアプリケーションプログラム（以下「対応アプリ」という。）が、コンピューターとしてのスマートフォンにインストールされたものである。コンピューターは、スマートフォンに限定されるものではなく、後述する情報処理装置１の各機能を、対応アプリによって実現可能な装置であればよい。コンピューターとしては、スマートフォンのほか、例えば、タブレット端末或いはパソコンを用いることができる。
【００３１】
情報処理装置１は、ディスプレイ１１と、タッチパネル１２と、ＣＰＵ１３（Central Processing Unit）と、ＲＡＭ１４（Random Access Memory）と、フラッシュメモリー１５と、処理側インターフェース１６とを備えている。ディスプレイ１１は、各種情報を表示する。タッチパネル１２は、ディスプレイ１１上に重ねて設けられ、ユーザーの操作によりタッチパネル１２の表面が押された位置を検出する。ＣＰＵ１３は、フラッシュメモリー１５に記憶されている各種プログラム（対応アプリを含む）を、ＲＡＭ１４を用いて実行することにより、各種処理を実行する。処理側インターフェース１６は、後述する印刷側インターフェース２４との間で、各種コマンドや印刷データ等の各種データを送受信する。
【００３２】
印刷装置２は、印刷機構２１と、媒体送り機構２２と、制御回路２３と、印刷側インターフェース２４とを備えている。印刷機構２１は、印刷媒体に印刷を行う。印刷機構２１の印刷方式は、特に限定されるものではなく、例えば、サーマル方式、電子写真方式或いはインクジェット方式を用いることができる。印刷媒体は、特に限定されるものではなく、例えば、テープ状部材、ロール紙或いは枚葉紙を用いることができる。媒体送り機構２２は、印刷媒体を送る。制御回路２３は、図示しないＣＰＵおよび各種メモリーを備えており、制御プログラムに従って、印刷機構２１および媒体送り機構２２を制御する。印刷側インターフェース２４は、処理側インターフェース１６との間で、各種コマンドや各種データを送受信する。
【００３３】
図２に基づいて、情報処理装置１および印刷装置２の機能構成について説明する。
【００３４】
情報処理装置１は、表示部１０１と、検出部１０２と、記憶部１０３と、記憶制御部１０４と、手書き画像データ生成部１０５と、合成画像データ生成部１０６と、印刷データ生成部１０７と、印刷データ送信部１０８とを備えている。表示部１０１は、ディスプレイ１１によって実現される。検出部１０２は、タッチパネル１２によって実現される。記憶部１０３は、フラッシュメモリー１５によって実現される。記憶制御部１０４、手書き画像データ生成部１０５、合成画像データ生成部１０６、および印刷データ生成部１０７は、ＣＰＵ１３が対応アプリを実行することにより実現される。印刷データ送信部１０８は、処理側インターフェース１６によって実現される。情報処理装置１の各機能部の機能については、後述する。
【００３５】
印刷装置２は、印刷データ受信部２０１と、印刷部２０２とを備えている。印刷データ受信部２０１は、印刷側インターフェース２４によって実現される。印刷データ受信部２０１は、印刷データ送信部１０８から送信された印刷データを受信する。印刷部２０２は、印刷機構２１および媒体送り機構２２によって実現される。印刷部２０２は、受信された印刷データに基づいて、印刷媒体を送りながら印刷媒体に印刷を行う。
【００３６】
ところで、記憶部１０３には、通常の文字画像データのほか、絵記号画像データが記憶されている。絵記号画像データとは、絵記号の画像データのことであり、絵記号とは、各種の物、文字、図形等がイラスト化された記号のことである。印刷データ生成部１０７は、文字画像データに基づいて、印刷データを生成するだけでなく、絵記号画像データに基づいても、印刷データを生成することができる。
【００３７】
また、情報処理装置１は、手書き操作に基づいて手書き画像データを生成する。そして、情報処理装置１は、生成された手書き画像データと、記憶部１０３に記憶された絵記号画像データとを合成することにより、或いは、生成された手書き画像データ同士を合成することにより、合成画像データを生成することができる。
【００３８】
そこで、情報処理装置１が合成画像データを生成する流れについて説明しつつ、図２に示した情報処理装置１の各機能部の機能について説明する。ここでは、（１）手書き画像データと絵記号画像データとが合成される場合、および（２）手書き画像データ同士が合成される場合、の順に説明する。さらに、（１）の場合については、（Ａ）ユーザーに絵記号画像Ｇ１（図７参照）を選択させる場合、および（Ｂ）ユーザーに合成画像Ｇ４（図１４参照）を選択させる場合、に分けて説明する。
【００３９】
図６ないし図１２の画面遷移図を参照しつつ、図３のフローチャートに基づいて、（１）手書き画像データと絵記号画像データとが合成される場合であって、（Ａ）ユーザーに絵記号画像Ｇ１を選択させる場合について説明する。
【００４０】
情報処理装置１において対応アプリが起動された後、所定の操作を検出部１０２が検出すると、ステップＳ１において表示部１０１が合成方法選択画面Ｄ１を表示する（図６参照）。合成方法選択画面Ｄ１には、合成画像データの合成方法に関する選択肢として、「絵記号画像との合成」との語句と、「手書き画像同士の合成」との語句とが表示される。
【００４１】
ステップＳ２に進み、合成方法選択画面Ｄ１において「絵記号画像との合成」との語句を選択する選択操作を検出部１０２が検出すると（Ｓ２；Ｙｅｓ）、ステップＳ３に進み、表示部１０１が絵記号選択画面Ｄ２を表示する（図７参照）。絵記号選択画面Ｄ２には、記憶部１０３に記憶された複数の絵記号画像データに対応した複数の絵記号画像Ｇ１が選択可能に表示される。
【００４２】
絵記号選択画面Ｄ２において一の絵記号画像Ｇ１を選択する選択操作を検出部１０２が検出すると、ステップＳ４に進み、表示部１０１が置換領域調整画面Ｄ３を表示する（図８参照）。置換領域調整画面Ｄ３には、選択された絵記号画像Ｇ１と、置換領域表示枠Ｇ２とが表示される。置換領域表示枠Ｇ２は、絵記号画像データと手書き画像データとが合成される際に、絵記号画像Ｇ１において手書き画像Ｇ３（図１０参照）と置換される領域を、絵記号画像Ｇ１上に示すものである。所定の操作を検出部１０２が検出すると、置換領域調整画面Ｄ３において、絵記号画像Ｇ１に対する置換領域表示枠Ｇ２の位置およびサイズが調整される。これにより、絵記号画像Ｇ１において手書き画像Ｇ３と置換される領域の位置およびサイズが調整される。
【００４３】
置換領域表示枠Ｇ２の位置およびサイズが確定すると、ステップＳ５に進み、表示部１０１が作成選択画面Ｄ４を表示する（図９参照）。作成選択画面Ｄ４には、絵記号画像データと合成される手書き画像データに関し、新たに生成するか、記憶されているものを利用するか、を選択させる選択肢として、「新規手書き画像の作成」との語句と、「作成済み手書き画像の選択」との語句が表示される。
【００４４】
ステップＳ６に進み、作成選択画面Ｄ４において「新規手書き画像の作成」との語句を選択する選択操作を検出部１０２が検出すると（Ｓ６；Ｙｅｓ）、ステップＳ７に進み、表示部１０１が手書き画像作成画面Ｄ５を表示する（図１０参照）。表示された手書き画像作成画面Ｄ５に対して手書き操作が行われると、検出部１０２が手書き操作を検出する。すなわち、検出部１０２は、手書き操作により検出部１０２の表面が押された位置の移動軌跡を検出する。手書き画像データ生成部１０５は、検出部１０２による手書き操作の検出結果に基づいて、手書き画像データを生成する。手書き画像作成画面Ｄ５には、生成された手書き画像データに対応した手書き画像Ｇ３が表示される。なお、手書き操作は、手書き画像作成画面Ｄ５上において、ユーザーが指先で直接検出部１０２（タッチパネル１２）に触れて行ってもよいし、タッチペン（スタイラスペン）を使用して行ってもよい。
【００４５】
手書き画像データ生成部１０５により手書き画像データが生成されると、ステップＳ８に進み、合成画像データ生成部１０６が、生成された手書き画像データと、絵記号選択画面Ｄ２において選択された絵記号画像Ｇ１に対応した絵記号画像データとが合成された合成画像データを生成する。
【００４６】
合成画像データ生成部１０６は、絵記号画像Ｇ１において置換領域表示枠Ｇ２で示された領域が手書き画像Ｇ３で置換されるように、手書き画像データと絵記号画像データとを合成する。なお、手書き画像データと絵記号画像データとの合成パターンは、特に限定されるものではなく、合成画像データ生成部１０６は、例えば、手書き画像Ｇ３と絵記号画像Ｇ１とが、左右或いは上下に並ぶように、両画像データを合成してもよい。また、合成画像データ生成部１０６は、手書き画像Ｇ３と絵記号画像Ｇ１とが、互いに重なり合うように、両画像データを合成してもよい。情報処理装置１は、合成パターンをユーザーに選択させてもよい。
【００４７】
合成画像データが生成されると、ステップＳ９に進み、表示部１０１は、合成画像表示画面Ｄ６を表示する（図１１参照）。合成画像表示画面Ｄ６には、生成された合成画像データに対応した合成画像Ｇ４が表示される。合成画像データが生成された後、印刷を実行するための操作を検出部１０２が検出すると、ステップＳ１０に進み、印刷データ生成部１０７が、生成された合成画像データに基づいて、それ単独で、或いは、通常の文字画像データ等と共に、印刷データを生成する。この印刷データに基づいて、印刷装置２が印刷を行うと、印刷媒体に合成画像Ｇ４が印刷される。また、合成画像データが生成された後、合成画像データを記憶するための操作を検出部１０２が検出すると、記憶制御部１０４が、生成された合成画像データを、記憶部１０３に記憶させる。印刷データ生成部１０７は、記憶部１０３に記憶された合成画像データに基づいて、印刷データを生成することも可能である。なお、合成画像データ生成部１０６は、手書き画像データと合成される絵記号画像データとして、記憶部１０３に記憶された合成画像データを用いてもよい。
【００４８】
なお、絵記号画像データと合成される手書き画像データとしては、新たに手書き画像データ生成部１０５により生成された手書き画像データに限らず、作成済みの手書き画像データ、すなわち、過去に手書き画像データ生成部１０５により生成され、記憶部１０３に記憶されている手書き画像データ、を用いてもよい。具体的には、ステップＳ６において、図９に示した作成選択画面Ｄ４において「作成済み手書き画像の選択」との語句を選択する選択操作を検出部１０２が検出すると（Ｓ６；Ｎｏ）、ステップＳ１１に進み、表示部１０１が手書き画像選択画面Ｄ７を表示する（図１２参照）。手書き画像選択画面Ｄ７には、作成済みの複数の手書き画像データに対応した複数の手書き画像Ｇ３が選択可能に表示される。
【００４９】
手書き画像選択画面Ｄ７において一の手書き画像Ｇ３を選択する選択操作を検出部１０２が検出すると、ステップＳ８に進み、合成画像データ生成部１０６が、手書き画像選択画面Ｄ７において選択された手書き画像Ｇ３に対応した手書き画像データと、絵記号選択画面Ｄ２において選択された絵記号画像Ｇ１に対応した絵記号画像データと、が合成された合成画像データを生成する。
【００５０】
図６、図９、および図１２ないし図１４の画面遷移図を参照しつつ、図４のフローチャートに基づいて、（１）手書き画像データと絵記号画像データとが合成される場合であって、（Ｂ）ユーザーに合成画像Ｇ４を選択させる場合について説明する。
【００５１】
ステップＳ２１において、図６に示した合成方法選択画面Ｄ１を表示する。ステップＳ２２に進み、合成方法選択画面Ｄ１において「絵記号画像との合成」との語句を選択する選択操作を検出部１０２が検出すると（Ｓ２２；Ｙｅｓ）、ステップＳ２３に進み、表示部１０１が、図９に示した作成選択画面Ｄ４を表示する。ステップＳ２４に進み、作成選択画面Ｄ４において「作成済み手書き画像の選択」との語句を選択する選択操作を検出部１０２が検出すると（Ｓ２４；Ｎｏ）、ステップＳ２５に進み、表示部１０１が、図１２に示した手書き画像選択画面Ｄ７を表示する。手書き画像選択画面Ｄ７において一の手書き画像Ｇ３を選択する選択操作を検出部１０２が検出すると、ステップＳ２６に進み、表示部１０１がカテゴリー選択画面Ｄ８を表示する（図１３参照）。カテゴリー選択画面Ｄ８には、絵記号画像データに関する複数のカテゴリーが、選択可能に表示される。すなわち、絵記号画像データは、複数のカテゴリーに分かれて記憶部１０３に記憶されている。
【００５２】
カテゴリー選択画面Ｄ８において一のカテゴリーを選択する選択操作を検出部１０２が検出すると、ステップＳ２７に進み、合成画像データ生成部１０６は、記憶部１０３に記憶された複数の絵記号画像データのうち、検出部１０２によるカテゴリーの選択操作の検出結果に基づいて、複数の合成画像データを生成する。すなわち、合成画像データ生成部１０６は、選択されたカテゴリーに属する複数の絵記号画像データと、手書き画像選択画面Ｄ７において選択された手書き画像Ｇ３に対応した手書き画像データとが合成された複数の合成画像データを生成する。合成画像データ生成部１０６は、絵記号画像データに対応した絵記号画像Ｇ１と、手書き画像データに対応した手書き画像Ｇ３とが、左右に並ぶように、絵記号画像データと手書き画像データとを合成する。なお、この場合も、手書き画像データと絵記号画像データとの合成パターンは、特に限定されるものではない。
【００５３】
複数の合成画像データが生成されると、ステップＳ２８に進み、表示部１０１が合成画像選択画面Ｄ９を表示する（図１４参照）。合成画像選択画面Ｄ９には、生成された複数の合成画像データに対応した複数の合成画像Ｇ４が選択可能に表示される。
【００５４】
合成画像選択画面Ｄ９において一の合成画像Ｇ４を選択する選択操作を検出部１０２が検出すると、ステップＳ２９に進み、選択された合成画像Ｇ４に対応した合成画像データは、（Ａ）ユーザーに絵記号画像Ｇ１を選択させる場合と同様に、印刷データとして供され、或いは、記憶部１０３に記憶され得る。
【００５５】
選択されたカテゴリーに属する複数の絵記号画像データと合成される手書き画像データとしては、作成済みの手書き画像データに限らず、新たに手書き画像データ生成部１０５により生成された手書き画像データを用いてもよい。すなわち、ステップＳ２４において、作成選択画面Ｄ４において「新規手書き画像の作成」との語句を選択する選択操作を検出部１０２が検出すると（Ｓ２４；Ｙｅｓ）、ステップＳ３０に進み、表示部１０１が、図１０に示した手書き画像作成画面Ｄ５を表示する。表示された手書き画像作成画面Ｄ５に対して手書き操作が行われ、手書き画像データ生成部１０５により手書き画像データが生成されると、ステップＳ２６に進む。
【００５６】
なお、情報処理装置１は、（Ａ）ユーザーに絵記号画像Ｇ１を選択させる場合と、（Ｂ）ユーザーに合成画像Ｇ４を選択させる場合との双方を実行可能であってもよい。この場合、例えば、合成方法選択画面Ｄ１において「絵記号画像との合成」との語句が選択されると、（Ａ）の場合および（Ｂ）の場合のいずれを実行するかを、ユーザーに選択させるための画面を表示部１０１に表示してもよい。
【００５７】
図６、図９、図１２、図１５および図１６の画面遷移図を参照しつつ、図５のフローチャートに基づいて、（２）手書き画像データ同士が合成される場合について説明する。
【００５８】
図３に示したフローチャートのステップＳ２または図４に示したフローチャートのステップＳ２２において、図６に示した合成方法選択画面Ｄ１において「手書き画像同士の合成」との語句を選択する選択操作を検出部１０２が検出すると（Ｓ２；Ｎｏ、またはＳ２２；Ｎｏ）、図５に示したフローチャートのステップＳ３１に進み、表示部１０１が、図９に示した作成選択画面Ｄ４を表示する。
【００５９】
ステップＳ３２に進み、作成選択画面Ｄ４において「作成済み手書き画像の選択」との語句が選択されると（Ｓ３２；Ｎｏ）、ステップＳ３３に進み、表示部１０１が、図１２に示した手書き画像選択画面Ｄ７を表示する。手書き画像選択画面Ｄ７において一の手書き画像Ｇ３を選択する選択操作を検出部１０２が検出すると、ステップＳ３４に進み、表示部１０１が、再び作成選択画面Ｄ４を表示する。
【００６０】
ステップＳ３５に進み、再表示された作成選択画面Ｄ４において「作成済み手書き画像の選択」との語句が選択されると（Ｓ３５；Ｎｏ）、ステップ３６に進み、表示部１０１が、再び手書き画像選択画面Ｄ７を表示する。再表示された手書き画像選択画面Ｄ７において一の手書き画像Ｇ３を選択する選択操作を検出部１０２が検出すると、ステップＳ３７に進み、表示部１０１が合成パターン選択画面Ｄ１０を表示する（図１５参照）。合成パターン選択画面Ｄ１０には、１回目の選択操作により選択された手書き画像Ｇ３に対応した手書き画像データと、２回目の選択操作により選択された手書き画像Ｇ３に対応した手書き画像データとの複数の合成パターンが、選択可能に表示される。なお、図１５には、複数の合成パターンとして、手書き画像Ｇ３同士が左右に並ぶパターン、手書き画像Ｇ３同士が上下に並ぶパターン、および手書き画像Ｇ３同士が重なり合うパターンが表示されているが、これらに限定されるものではない。また、合成パターン選択画面Ｄ１０における複数の合成パターンの表示態様としては、図１５のように、各手書き画像Ｇ３を例えば長方形のイメージで表してもよく、実際の手書き画像Ｇ３を表示してもよい。
【００６１】
合成パターン選択画面Ｄ１０において、一の合成パターンを選択する選択操作を検出部１０２が検出すると、ステップＳ３８に進み、合成画像データ生成部１０６が、検出部１０２による合成パターンの選択操作の検出結果に基づいて、合成画像データを生成する。すなわち、合成画像データ生成部１０６は、選択された合成パターンで、１回目に選択された手書き画像データと２回目に選択された手書き画像データとが合成された合成画像データを生成する。
【００６２】
合成画像データが生成されると、ステップＳ３９に進み、表示部１０１は、合成画像表示画面Ｄ６を表示する（図１６参照）。合成画像表示画面Ｄ６には、生成された合成画像データに対応した合成画像Ｇ４が表示される。ステップＳ４０に進み、生成された合成画像データは、（１）手書き画像データと絵記号画像データとが合成される場合と同様に、印刷データとして供され、或いは、記憶部１０３に記憶され得る。
【００６３】
合成画像データ生成部１０６は、合成される手書き画像データとして、作成済みの手書き画像データだけでなく、新たに手書き画像データ生成部１０５により生成された手書き画像データを用いてもよい。すなわち、ステップＳ３２において、作成選択画面Ｄ４における「新規手書き画像の作成」との語句を選択する選択操作を、検出部１０２が検出すると（Ｓ３２；Ｙｅｓ）、ステップＳ４１に進み、表示部１０１が、図１０に示した手書き画像作成画面Ｄ５を表示する。表示された手書き画像作成画面Ｄ５に対して手書き操作が行われ、手書き画像データ生成部１０５により手書き画像データが生成されると、ステップＳ３４に進む。同様に、ステップＳ３５において、作成選択画面Ｄ４において「新規手書き画像の作成」との語句を選択する選択操作を検出部１０２が検出すると（Ｓ３５；Ｙｅｓ）、ステップＳ４２に進み、表示部１０１が、図１０に示した手書き画像作成画面Ｄ５を表示する。表示された手書き画像作成画面Ｄ５に対して手書き操作が行われ、手書き画像データ生成部１０５により手書き画像データが生成されると、ステップＳ３７に進む。なお、合成画像データ生成部１０６は、相異なる手書き画像データ同士を合成するだけでなく、共通の手書き画像データ同士を合成してもよい。また、合成画像データ生成部１０６は、三つ以上の手書き画像データが合成された合成画像データを生成してもよい。
【００６４】
情報処理装置１は、上述した（１）手書き画像データと絵記号画像データとが合成される場合、および（２）手書き画像データ同士が合成される場合の双方を実行可能である必要はなく、少なくとも一方を実行可能であればよい。
【００６５】
以上のように、本実施形態の情報処理装置１は、検出部１０２と、手書き画像データ生成部１０５と、合成画像データ生成部１０６とを備えている。検出部１０２は、手書き操作を検出する。手書き画像データ生成部１０５は、検出部１０２による手書き操作の検出結果に基づいて、手書き画像データを生成する。合成画像データ生成部１０６は、手書き画像データ生成部１０５により生成された手書き画像データと、記憶部１０３に記憶された絵記号画像データとが合成された合成画像データを生成する。
この構成によれば、手書き画像データと絵記号画像データとが合成されることにより、合成画像データが生成される。生成された合成画像データは、記憶部１０３に記憶された絵記号画像データとは異なる、オリジナルの絵記号画像データとなる。ユーザーは、合成画像データのうち、記憶部１０３に記憶された絵記号画像データを利用する部分については、手書き操作を行う必要がないため、その分、ユーザーの手間が軽減される。さらに、合成される手書き画像データが、予め記憶部１０３に記憶されている場合には、ユーザーは、合成画像データのうち、予め記憶された手書き画像データを利用する部分についても、改めて手書き操作を行う必要がないため、その分、ユーザーの手間が軽減される。したがって、簡易な手書き操作によりオリジナルの絵記号画像データを生成することができる。
【００６６】
また、本実施形態の情報処理装置１では、検出部１０２は、記憶部１０３に記憶された複数の絵記号画像データに対応した複数の絵記号画像Ｇ１のなかから、一の絵記号画像Ｇ１を選択する選択操作をさらに検出する。合成画像データ生成部１０６は、検出部１０２による絵記号画像Ｇ１の選択操作の検出結果に基づいて、選択された絵記号画像Ｇ１に対応した絵記号画像データと、手書き画像データとが合成された合成画像データを生成する。
この構成によれば、記憶部１０３に記憶された複数の絵記号画像データのうち、選択操作により選択された絵記号画像Ｇ１に対応した絵記号画像データが、手書き画像データと合成される。これにより、手書き画像データと合成される絵記号画像データを、記憶部１０３に記憶された複数の絵記号画像データのなかから、ユーザーに選択させることができる。
【００６７】
また、本実施形態の情報処理装置１では、検出部１０２は、絵記号画像データに関する複数のカテゴリーのなかから、一のカテゴリーを選択する選択操作をさらに検出する。合成画像データ生成部１０６は、記憶部１０３に記憶された複数の絵記号画像データのうち、検出部１０２によるカテゴリーの選択操作の検出結果に基づいて、選択されたカテゴリーに属する複数の絵記号画像データと、手書き画像データとが合成された複数の合成画像データを生成する。検出部１０２は、合成画像データ生成部１０６により生成された複数の合成画像データに対応した複数の合成画像Ｇ４のなかから、一の合成画像Ｇ４を選択する選択操作をさらに検出する。
この構成によれば、選択されたカテゴリーに属する複数の絵記号画像データと、手書き画像データとが合成された複数の合成画像データが生成される。そして、生成された複数の合成画像データに対応した複数の合成画像Ｇ４のなかから、一の合成画像Ｇ４をユーザーに選択させることができる。
【００６８】
また、本実施形態の情報処理装置１では、合成画像データ生成部１０６が、手書き画像データと絵記号画像データとが合成された合成画像データを生成する代わりに、複数の手書き画像データ同士が合成された合成画像データを生成してもよい。
この構成によれば、手書き画像データ同士が合成されることにより、合成画像データが生成される。生成された合成画像データは、記憶部１０３に記憶された絵記号画像データとは異なる、オリジナルの絵記号画像データとなる。合成される複数の手書き画像データの少なくとも一つについて、予め記憶部１０３に記憶されているものを利用する場合には、ユーザーは、予め記憶された手書き画像データを利用する部分については、改めて手書き操作を行う必要がないため、その分、ユーザーの手間が軽減される。また、合成される複数の手書き画像データのすべてについて、新たに手書き操作を行う場合にも、ユーザーは、一の手書き画像Ｇ３に対して他の手書き画像Ｇ３が所望の配置となるように手書き操作を行う必要がないため、その分、ユーザーの手間が軽減される。したがって、簡易な手書き操作によりオリジナルの絵記号画像データを生成することができる。
【００６９】
また、本実施形態の情報処理装置１では、検出部１０２が、複数の合成パターンのなかから、一の合成パターンを選択する選択操作をさらに検出する。合成画像データ生成部１０６は、検出部１０２による合成パターンの選択操作の検出結果に基づいて、選択された合成パターンで、複数の手書き画像データ同士が合成された合成画像データを生成する。
この構成によれば、手書き画像データ同士が合成される複数の合成パターンのうち、選択操作により選択された合成パターンで、手書き画像データ同士が合成される。これにより、手書き画像データ同士が合成される合成パターンを、複数の合成パターンのなかから、ユーザーに選択させることができる。
【００７０】
また、本実施形態の情報処理装置１は、記憶制御部１０４をさらに備えている。記憶制御部１０４は、合成画像データ生成部１０６により生成された合成画像データを、記憶部１０３に記憶させる。
この構成によれば、合成画像データ生成部１０６により生成された合成画像データが、記憶部１０３に記憶される。これにより、ユーザーが同じ合成画像データを繰り返し使用する場合に、合成画像データを生成するための一連の操作をやり直す手間を省くことができる。
【００７１】
本実施形態の対応アプリは、コンピューターを、簡易な手書き操作によりオリジナルの絵記号画像データを生成することができる情報処理装置１として機能させることができる。
【００７２】
本実施形態の印刷システムＳは、情報処理装置１と、印刷装置２とを備えている。情報処理装置１は、上述した検出部１０２、手書き画像データ生成部１０５および合成画像データ生成部１０６に加え、印刷データ生成部１０７と、印刷データ送信部１０８とを備えている。印刷データ生成部１０７は、合成画像データ生成部１０６により生成された合成画像データに基づいて、印刷データを生成する。印刷データ送信部１０８は、印刷データ生成部１０７により生成された印刷データを、印刷装置２に送信する。
この構成によれば、情報処理装置１により生成された合成画像データ、すなわち、オリジナルの絵記号画像データ、に基づいて生成された印刷データに基づいて、印刷装置２が印刷を行う。これにより、合成画像Ｇ４、すなわちオリジナルの絵記号を印刷媒体に印刷することができる。
【００７３】
本発明は上記した実施形態に限定されず、その趣旨を逸脱しない範囲で種々の構成を採用可能であることは言うまでもない。例えば、本実施形態は、以下のような形態に変更することができる。
【００７４】
図１７に示すように、表示部１０１が、手書き画像作成画面Ｄ５において、手書き操作用のトレース画像Ｇ５を表示してもよい。この場合、ユーザーは、選択されたトレース画像Ｇ５の輪郭や画像の一部をトレースすることにより、手書き操作を行うことができる。したがって、ユーザーに手書き操作を容易に行わせることができる。手書き画像作成画面Ｄ５に表示されるトレース画像Ｇ５は、例えば、絵記号画像Ｇ１でもよく、フラッシュメモリー１５等に予め記憶された写真画像、或いは、情報処理装置１に備えられたカメラによって撮像された写真画像でもよい。
【００７５】
図１８および図１９に示すように、手書き画像作成画面Ｄ５において、塗り選択アイコンＧ６を表示してもよい。塗り選択アイコンＧ６に対する操作を検出部１０２が検出すると、塗り選択アイコンＧ６が、塗りつぶしモードと、非塗りつぶしモードとに切り替わる。塗り選択アイコンＧ６に対する操作を検出部１０２が検出し、塗り選択アイコンＧ６が塗りつぶしモードになると、手書き画像データ生成部１０５は、線が閉じられた領域が塗りつぶされた手書き画像Ｇ３（図１８参照）に対応した手書き画像データを生成する。一方、塗り選択アイコンＧ６に対する操作を検出部１０２が検出し、塗り選択アイコンＧ６が非塗りつぶしモードになると、手書き画像データ生成部１０５は、線が閉じられた領域が塗りつぶされていない手書き画像Ｇ３（図１９参照）に対応した手書き画像データを生成する。
【００７６】
このように、検出部１０２は、手書き画像Ｇ３において線が閉じられた領域を塗りつぶすか否かを選択する選択操作をさらに検出する。手書き画像データ生成部１０５は、検出部１０２による塗りつぶすか否かの選択操作の検出結果に基づいて、手書き画像データを生成する。これにより、手書き画像Ｇ３において線が閉じられた領域が塗りつぶされるように手書き画像データを生成するか、手書き画像Ｇ３において線が閉じられた領域が塗りつぶされないように手書き画像データを生成するかを、ユーザーに選択させることができる。なお、手書き画像Ｇ３において、線が閉じられた領域が複数ある場合、塗りつぶすか否かを、個々に選択可能としてもよい。また、塗りつぶす色を選択可能としてもよい。
【００７７】
検出部１０２は、情報処理装置１を構成するコンピューターが備える種々の検出手段によって実現可能である。例えば、情報処理装置１がパソコンによって構成される場合、検出部１０２を、タッチパッド或いはマウスにより実現されてもよい。検出部１０２は、複数の検出手段によって実現されてもよい。
【００７８】
同様に、記憶部１０３は、情報処理装置１を構成するコンピューターが備える種々の記憶手段によって実現可能である。例えば、情報処理装置１がパソコンによって構成される場合、記憶部１０３は、ハードディスクにより実現されてもよい。さらに、記憶部１０３は、情報処理装置１の外部に設けられた記憶手段（例えば、サーバー）により実現されてもよい。記憶部１０３は、複数の記憶手段によって実現されてもよい。例えば、記憶部１０３が、絵記号画像データを記憶するフラッシュメモリー１５と、合成画像データを記憶するサーバーとにより実現されてもよい。
【００７９】
手書き画像データ生成部１０５、合成画像データ生成部１０６、記憶制御部１０４、および印刷データ生成部１０７の一部或いは全部は、ハードウェア資源のみにより実現されてもよい。
【符号の説明】
【００８０】
１…情報処理装置、２…印刷装置、１０１…表示部、１０２…検出部、１０３…記憶部、１０４…記憶制御部、１０５…手書き画像データ生成部、１０６…合成画像データ生成部、１０７…印刷データ生成部、１０８…印刷データ送信部、２０１…印刷データ受信部、２０２…印刷部、Ｓ…印刷システム。
【図１】
2018061798.tif 000003
【図２】
2018061798.tif 000004
【図３】
2018061798.tif 000005
【図４】
2018061798.tif 000006
【図５】
2018061798.tif 000007
【図６】
2018061798.tif 000008
【図７】
2018061798.tif 000009
【図８】
2018061798.tif 000010
【図９】
2018061798.tif 000011
【図１０】
2018061798.tif 000012
【図１１】
2018061798.tif 000013
【図１２】
2018061798.tif 000014
【図１３】
2018061798.tif 000015
【図１４】
2018061798.tif 000016
【図１５】
2018061798.tif 000017
【図１６】
2018061798.tif 000018
【図１７】
2018061798.tif 000019
【図１８】
2018061798.tif 000020
【図１９】
2018061798.tif 000021
【国際調査報告】
2018061798.tif 000022
2018061798.tif 000023
2018061798.tif 000024
2018061798.tif 000025